(57)【特許請求の範囲】
【請求項１】
トナー像を担持する回転可能な第一像担持体と第二像担持体と、
前記第一像担持体と前記第二像担持体とに当接可能である回転可能なベルト部材と、
前記ベルト部材に当接して回転している前記第二像担持体を、前記第一像担持体が前記ベルト部材に当接して回転している状態で前記ベルト部材から離間させるための移動手段と、
を有し、
少なくとも画像形成時には前記第二像担持体は前記ベルト部材に対して所定の周速差を有して回転する画像形成装置において、
前記第二像担持体の周速度と前記ベルト部材の周速度との周速差を変更する変更手段を有し、
前記移動手段が、前記ベルト部材に当接して回転している前記第二像担持体を、前記第一像担持体が前記ベルト部材に当接して回転している状態で前記ベルト部材から離間させる際には、
前記変更手段が前記第二像担持体の周速度と前記ベルト部材の周速度との周速差を画像形成時における前記所定の周速差よりも小さくしてから、前記移動手段が前記第二像担持体を前記ベルト部材から離間させることを特徴とする画像形成装置。
【請求項２】
前記第二像担持体を前記ベルト部材から離間させるタイミングは、前記第一像担持体を用いてトナー像を形成する画像形成動作中であることを特徴とする請求項１に記載の画像形成装置。
【請求項３】
前記第二像担持体を前記ベルト部材から離間させる前に、前記変更手段は前記第二像担持体の周速度と前記ベルト部材との周速度とが同じ周速度になるように前記第二像担持体の周速度を変更することを特徴とする請求項１または請求項２のいずれか１項に記載の画像形成装置。
【請求項４】
前記ベルト部材の回転方向において前記第二像担持体よりも上流側に位置するトナー像を担持する第三像担持体を有し、
少なくとも画像形成時には前記第二像担持体と前記第三像担持体とは前記ベルト部材より速い周速度で回転し、
前記移動手段が、前記ベルト部材に当接して回転している前記第三像担持体を、前記第一像担持体が前記ベルト部材に当接して回転している状態で前記ベルト部材から離間させる際には、前記変更手段が前記第三像担持体の周速度と前記ベルト部材の周速度との周速差を画像形成時における前記所定の周速差よりも小さくしてから、前記移動手段が前記第三像担持体を前記ベルト部材から離間させ、
前記移動手段が、前記ベルト部材に当接して回転している前記第二像担持体と前記第三像担持体とを、前記第一像担持体が前記ベルト部材に当接して回転している状態で前記ベルト部材から離間させる際には、前記変更手段は前記第三像担持体の周速度と前記ベルト部材の周速度との周速差の変更を前記第二像担持体の周速度と前記ベルト部材の周速度との周速差の変更よりも早いタイミングで行なうことを特徴とする請求項１から請求項３のいずれか１項に記載の画像形成装置。
【請求項５】
トナー像を担持する回転可能な第一像担持体と第二像担持体と、
前記第一像担持体と前記第二像担持体とに当接可能である回転可能なベルト部材と、
前記ベルト部材から離間している前記第二像担持体を、前記第一像担持体が前記ベルト部材に当接して回転している状態で前記ベルト部材に当接させるための移動手段と、
を有し、
少なくとも画像形成時には前記第二像担持体は前記ベルト部材に対して所定の周速差を有して回転する画像形成装置において、
前記第二像担持体の周速度と前記ベルト部材の周速度との周速差を変更する変更手段を有し、
前記移動手段が、前記ベルト部材から離間している前記第二像担持体を、前記第一像担持体が前記ベルト部材に当接して回転している状態で前記ベルト部材に当接させる際には、
前記変更手段が前記第二像担持体の周速度と前記ベルト部材の周速度との周速差を画像形成時における前記所定の周速差よりも小さくしてから、前記移動手段が前記第二像担持体を前記ベルト部材に当接させることを特徴とする画像形成装置。
【請求項６】
前記第二像担持体を前記ベルト部材に当接させるタイミングは、前記第一像担持体を用いてトナー像を形成する画像形成動作中であることを特徴とする請求項５に記載の画像形成装置。
【請求項７】
前記第二像担持体を前記ベルト部材に当接させる前に、前記変更手段は前記第二像担持体の周速度と前記ベルト部材との周速度とが同じ周速度になるように前記第二像担持体の周速度を変更することを特徴とする請求項５または請求項６のいずれか１項に記載の画像形成装置。
【請求項８】
前記ベルト部材の回転方向において前記第二像担持体よりも上流側に位置するトナー像を担持する第三像担持体を有し、
少なくとも画像形成時には前記第二像担持体と前記第三像担持体とはベルト部材より速い周速度で回転し、
前記移動手段が、前記ベルト部材から離間している前記第三像担持体を、前記第一像担持体が前記ベルト部材に当接して回転している状態で前記ベルト部材に当接させる際には、前記変更手段が前記第三像担持体の周速度と前記ベルト部材の周速度との周速差を画像形成時における前記所定の周速差よりも小さくしてから、前記移動手段は前記第三像担持体を前記ベルト部材に当接させ、
前記移動手段が、前記ベルト部材から離間している前記第二像担持体と前記第三像担持体とを、前記第一像担持体が前記ベルト部材に当接して回転している状態で前記ベルト部材に当接させる際には、前記変更手段は前記第三像担持体の周速度と前記ベルト部材の周速度との周速差の変更を前記第二像担持体の周速度と前記ベルト部材の周速度との周速差の変更よりも遅いタイミングで行なうことを特徴とする請求項５から請求項７のいずれか１項に記載の画像形成装置。
【発明の詳細な説明】
【技術分野】
【０００１】
本発明は、電子写真方式或いは静電記録方式を用いた複写機、プリンタ等の画像形成装置に関するものである。より詳しくは、トナー像が表面に形成される像担持体に隣接して配置された周回移動可能なベルト体として、中間転写体や記録材担持体を有し、これらのベルト体が、像担持体から当接離間する構成を採用する画像形成装置に関する。
【背景技術】
【０００２】
従来、例えばフルカラー画像の形成が可能なカラー画像形成装置として、次のような直接転写方式や中間転写方式の画像形成装置が知られている。直接転写方式では、単数又は複数の像担持体である感光ドラムに形成されたトナー像を、記録材担持体としての周回移動可能なベルト部材（以下「転写ベルト」と称す）上に担持された記録材に転写する。中間転写方式では、単数又は複数の感光ドラムに形成されたトナー像を、一旦、中間転写体としての周回移動可能なベルト部材（以下「中間転写ベルト」と称す）に転写する。その後、中間転写ベルト上のトナー像を記録材に転写する。中間転写方式では、多様な記録材に画像を形成することが容易で、記録材の選択性を高めることができる。
【０００３】
また、感光ドラムに対して、中間転写ベルトや転写ベルトの周速を異ならせる構成が提案されており、転写効率を向上させる有効的な手段として知られている。特許文献１によれば、感光ドラム上に形成されたトナー像が中間転写ベルト等に摺擦されてせん断力を受けることにより、感光ドラムに対するトナー像の付着力を弱めて、転写効率を向上させるものである。
【０００４】
一方、カラー画像形成装置においては、一の像担持体である感光ドラム上に、例えばブラック単色のみの画像形成をする場合がある。このとき、ブラック以外の像担持体を駆動すると、像担持体やその他の関連部材などが消耗してしまう等の問題がある。これに対して、特許文献２乃至４には、ブラックのみの画像形成時には、ブラック以外の像担持体と、転写ベルトまたは中間転写ベルトが離間する構成が記載されている。
【０００５】
図９に、従来の中間転写方式を用いた画像形成装置の概略を示す。本図において、画像形成手段たるプロセスユニットは、イエロー、マゼンタ、シアン、ブラックの各色に対応して４個設けられている。ここで、１ａ〜１ｄは感光ドラム、２ａ〜２ｄは帯電手段、３ａ〜３ｄは露光手段、４ａ〜４ｄは現像装置、５１は中間転写ベルト、５３ａ〜５３ｄは１次転写部材、６ａ〜６ｄはクリーニング装置、５６、５７は２次転写部材である。
【０００６】
まず、フルカラー画像を形成する場合、帯電装置２ａ〜２ｄにより、感光ドラム１ａ〜１ｄが一様に帯電された後、画像信号に応じた露光が露光手段３ａ〜３ｄによってなされることにより、感光ドラム１ａ〜１ｄ上に静電潜像が形成される。その後、現像装置４ａ〜４ｄによってトナー像が現像される。そして、感光ドラム１ａ〜１ｄ上のトナー像は転写部材５３ａ〜５３ｄに転写バイアスが不図示の転写高圧電源から印加されることによって中間転写ベルト５１に順次転写される。このとき、中間転写ベルトの位置を規制するローラが５８ａ（破線）の位置に配置されることにより、中間転写ベルトは４色の感光ドラムに当接して配置される（破線の配置）。感光ドラム１ａ〜１ｄ上に残った転写残トナーはクリーニング装置６ａ〜６ｄによって回収される。それぞれの感光ドラム上から上記の要領で中間転写ベルト５１上に順次多重転写された画像は、２次転写部材である５６、５７間に２次転写バイアスを印加することで記録材Ｐに転写される。転写された記録材Ｐ上のトナー像は定着装置（不図示）によって定着されることにより、フルカラー画像を得る。
【０００７】
そして、ブラック単色の画像を形成する場合は、中間転写ベルトをイエロー、マゼンタ、シアンの画像を形成する感光ドラム１ａ、１ｂ、１ｃから離間させるための、中間転写ベルトの位置を規制する規制ローラが５８ｂの位置に配置される。これによって中間転写ベルトは図中の実線で示される配置となり、ブラック単色のみの画像が感光ドラム１ｄ上に形成され、転写手段５３ｄにより転写され単色画像を得る。なお、他の３色を形成するための感光ドラム１ａ、１ｂ、１ｃは、消耗を防ぐために停止している。
【０００８】
しかしながら、ブラックのトナー像が形成されている作像動作中あるいは作像準備中に、ブラック単色モードとフルカラーモードとの間でモードが切換る場合がある。中間転写ベルトとの間で大きい周速差で回転している感光ドラムを中間転写ベルト等のベルト部材から離間すると、ベルト駆動負荷が変わり、ベルト部材に伝わるショックが大きくなる。その結果、このショックによるベルト部材の回転むらが、作像動作中或いは作像準備中の画像へ影響することになる。これは、当接する場合も同様である。
【０００９】
このようなベルト部材へのショックによる不良画像に対し、特許文献５においては、２次転写部材が当接してから、中間転写体速度の変動が十分に収まってから画像データを出力させる遅延回路を有する装置が提案されている。
【特許文献１】特開２００６−２６７７０５公報
【特許文献２】特開２００１−２４９５１９号公報
【特許文献３】特開２００４−１１７４２６号公報
【特許文献４】特開２００５−６２６４２号公報
【特許文献５】特開２００１−１８３８８８号公報
【発明の開示】
【発明が解決しようとする課題】
【００１０】
しかしながら、特許文献５のような構成では、ベルト部材に対して画像形成時と同じ周速差で回転している感光ドラムを、ベルト部材から離間あるいは当接する動作が行われると、ショックが緩和されるまでの時間は長くなる。その結果、ベルト部材に当接している感光ドラムへの作像開始までの時間が長くなったり、或いは、作像動作中の場合には、画像不良が生ずる。そのため、画像形成時には周速差をもって回転する像担持体をベルト部材に対して移動させることでベルト部材に生ずるショックをできるだけ低減する構成が望まれている。
【課題を解決するための手段】
【００１１】
そこで、本発明は、トナー像を担持する回転可能な第一像担持体と第二像担持体と、前記第一像担持体と前記第二像担持体とに当接可能である回転可能なベルト部材と、前記ベルト部材に当接して回転している前記第二像担持体を、前記第一像担持体が前記ベルト部材に当接して回転している状態で前記ベルト部材から離間させるための移動手段と、を有し、少なくとも画像形成時には前記第二像担持体は前記ベルト部材に対して所定の周速差を有して回転する画像形成装置において、前記第二像担持体の周速度と前記ベルト部材の周速度との周速差を変更する変更手段を有し、前記移動手段が、前記ベルト部材に当接して回転している前記第二像担持体を、前記第一像担持体が前記ベルト部材に当接して回転している状態で前記ベルト部材から離間させる際には、前記変更手段が前記第二像担持体の周速度と前記ベルト部材の周速度との周速差を画像形成時における前記所定の周速差よりも小さくしてから、前記移動手段が前記第二像担持体を前記ベルト部材から離間させることを特徴とする。
【００１２】
また、本発明は、トナー像を担持する回転可能な第一像担持体と第二像担持体と、前記第一像担持体と前記第二像担持体とに当接可能である回転可能なベルト部材と、前記第一像担持体と前記ベルト部材とが当接している状態で前記ベルト部材から離間している前記第二像担持体を前記ベルト部材に当接させるための移動手段と、を有し、少なくとも画像形成時には前記第二像担持体はベルト部材に対して所定の周速差を有して回転する画像形成装置において、前記第二像担持体の回転速度と前記ベルト部材の回転速度との周速差を変更する変更手段を有し、前記第一像担持体を前記ベルト部材に当接させている状態で、前記ベルト部材から離間して回転している前記第二像担持体を前記ベルト部材に当接する際には、前記変更手段は前記第二像担持体の回転速度と前記ベルト部材の回転速度との周速差を画像形成時の周速差よりも小さくしてから前記当接手段は前記第二像担持体を前記ベルト部材に当接することを特徴とする。
【発明の効果】
【００１３】
本発明によれば、一の像担持体がベルト部材に当接して回転しているときに、画像形成時にはベルト部材と像担持体との間で所定の周速差で回転する像担持体を移動させることで生ずるベルト部材へのショックを小さくすることができる。
【発明を実施するための最良の形態】
【００１４】
以下、本発明に係る画像形成装置を図面に則して更に詳しく説明する。
【実施例１】
【００１５】
［画像形成装置の全体構成及び動作］
先ず、本発明の一実施例に係る画像形成装置の全体構成及び動作について説明する。図２は、本実施例の画像形成装置１００の概略断面構成を示す。本実施例の画像形成装置１００は、４つの感光ドラムを有し、中間転写方式を用いた、フルカラー電子写真画像形成装置である。
【００１６】
画像形成装置１００は、複数の画像形成部として、第１、第２、第３、第４の画像形成部（プロセスユニット）Ｓａ、Ｓｂ、Ｓｃ、Ｓｄを有する。各画像形成部Ｓａ、Ｓｂ、Ｓｃ、Ｓｄはそれぞれ、ブラック、シアン、マゼンタ、イエローの各色を形成するためのものである。
【００１７】
尚、本実施例では、各画像形成部Ｓａ〜Ｓｄの構成は、用いられるトナーの色が異なることを除いて実質的に同じである。従って、以下、特に区別を要しない場合は、いずれかの色用に設けられた要素であることを表すために図中符号に与えた添え字ａ、ｂ、ｃ、ｄは省略して総括的に説明する。
【００１８】
画像形成部Ｓは、像担持体としての回転可能な感光ドラム１を有する。感光ドラム１の周囲には、帯電手段としての帯電ローラ２、露光手段としてのレーザースキャナ３、現像手段としての現像装置４、クリーニング手段としてのドラムクリーナ６等が、感光ドラム１の回転方向に沿って順次配設されている。又、各画像形成部Ｓａ〜Ｓｄの感光ドラム１ａ〜１ｄに当接可能であり、回転可能なベルト体、本実施例では中間転写体である中間転写ベルト５１が配置されている。本実施例での１ａは第一像担持体に、本実施例での１ｂは第二像担持体に、本実施例での１ｃは第三像担持体に、本実施例での１ｄは第四像担持体に相当する。
【００１９】
中間転写ベルト５１は、複数の支持部材としてテンションローラ５２、駆動ローラ５５、２次転写内ローラ５６、上流規制ローラ５８ａに掛け渡されている。中間転写ベルト５１は、ベルト駆動手段である駆動ローラ５５によって駆動力が伝達されて、図示矢印Ｒ３方向に周回移動する。駆動ローラは駆動源であるモータＭ１から駆動力が与えられて回転する。又、中間転写ベルト５１の内周面側において各感光ドラム１ａ〜１ｄに対向する位置には、１次転写部材としての１次転写ローラ５３ａ〜５３ｄが配置されている。各１次転写ローラ５３ａ〜５３ｄによって中間転写ベルト５１が各感光ドラム１ａ〜１ｄに向けて付勢され、各感光ドラム１ａ〜１ｄと中間転写ベルト５１とが接触する１次転写部（１次転写ニップ）Ｎ１ａ〜Ｎ１ｄが形成されている。又、中間転写ベルト５１の外周面側において２次転写内ローラ５６に対向する位置には、２次転写部材としての２次転写外ローラ５７が配置されている。２次転写外ローラ５７が中間転写ベルト５１の外周面に接触して、２次転写部（２次転写ニップ）Ｎ２が形成されている。
【００２０】
各画像形成部Ｓａ〜Ｓｄにて形成された感光ドラム１ａ〜１ｄ上の画像は、各感光ドラム１ａ〜１ｄに隣接して移動通過する中間転写ベルト５１上に順次多重転写される。その後、中間転写ベルト５１上に転写された画像は更に２次転写部Ｎ２において紙等の記録材Ｐへ転写される。
【００２１】
図３は画像形成部Ｓをより詳しく示す。図３を参照して更に説明すると、感光ドラム１は、画像形成装置本体によって回動自在に支持されている。感光ドラム１は、アルミニウム等の導電性基体１１と、その外周に形成された光導電層１２と、を基本構成とする円筒状の電子写真感光体である。感光ドラム１は、その中心に支軸１３を有する。感光ドラム１は、駆動源であるモータによって、支軸１３を中心として図示矢印Ｒ１方向に回転駆動される。本実施例では、感光ドラム１の帯電極性は負極性である。
【００２２】
感光ドラム１の図中上方には、１次帯電手段としての帯電ローラ２が配置されている。帯電ローラ２は、感光ドラム１の表面に接して、感光ドラム１の表面を所定の極性、電位に一様に帯電させる。帯電ローラ２は、中心に配置された導電性の芯金２１と、その外周に形成された低抵抗導電層２２と、中抵抗導電層２３と、を有し、全体としてローラ状に構成されている。帯電ローラ２は、芯金２１の両端部が軸受部材（図示せず）によって回転自在に支持されると共に、感光ドラム１に対して平行に配置されている。これら両端部の軸受部材は、押圧手段（図示せず）によって感光ドラム１向けて付勢されている。これにより、帯電ローラ２は、感光ドラム１の表面に所定の押圧力を持って圧接されている。帯電ローラ２は、感光ドラム１の図示矢印Ｒ１方向の回転に伴って、図示矢印Ｒ２方向に従動回転する。帯電ローラ２には、帯電バイアス出力手段としての帯電バイアス電源２４によって帯電バイアス電圧が印加される。これにより、感光ドラム１の表面は一様に接触帯電される。
【００２３】
感光ドラム１の回転方向において帯電ローラ２の下流側には、レーザースキャナ３が配設されている。レーザースキャナ３は、画像情報に基づいてレーザー光をＯＦＦ／ＯＮしながら走査して、感光ドラム１上を露光する。これにより、画像情報に応じた静電像（潜像）が感光ドラム１上に形成される。
【００２４】
感光ドラム１の回転方向においてレーザースキャナ３の下流側には、現像装置４が配置されている。現像装置４は、現像剤として非磁性トナー粒子（トナー）と磁性キャリア粒子（キャリア）とを備える２成分現像剤を収容した現像容器４１を有する。現像容器４１の感光ドラム１に面した開口部内に、現像剤担持体としての現像スリーブ４２が回転自在に設置されている。現像スリーブ４２内には、磁界発生手段としてのマグネットローラ４３が、現像スリーブ４２の回転に対して非回転に固定配置されている。マグネットローラ４３の形成する磁界によって、２成分現像剤は、現像スリーブ４２上に担持される。又、現像スリーブ４２の図中下方位置には、現像スリーブ４２上に担持された２成分現像剤を規制して薄層化する現像剤規制部材としての規制ブレード４４が設置されている。現像容器４１内は、現像室４５と撹拌室４６とに区画されており、その図中上方には補給用のトナーを収容した補給室４７が設けられている。
【００２５】
現像スリーブ４２上の２成分現像剤の薄層は、現像スリーブ４２の回転に伴って感光ドラム１と対向した現像領域へ搬送される。そして、現像スリーブ４２上の２成分現像剤は、現像領域に位置するマグネットローラ４３の現像主極の磁気力によって現像領域において穂立ちし、２成分現像剤の磁気ブラシが形成される。この磁気ブラシによって感光ドラム１の面上が擦られると共に、現像バイアス出力手段としての現像バイアス電源４８によって現像スリーブ４２に現像バイアス電圧が印加される。これにより、磁気ブラシの穂を構成するキャリアに付着しているトナーが、感光ドラム１上の静電像の露光部に付着して、トナー像が形成される。本実施例では、感光ドラム１の帯電極性と同極性に帯電したトナーを、感光ドラム１上の露光により電荷が減衰した部分に付着させる反転現像によって、感光ドラム１上にトナー像が形成される。
【００２６】
感光ドラム１の回転方向において現像装置４の下流側の感光ドラム１の図中下方には、１次転写ローラ５３が配設されている。１次転写ローラ５３は、芯金５３１と、その外周面に円筒状に形成された導電層５３２と、によって構成されている。１次転写ローラ５３は、両端部がスプリング等の押圧部材（図示せず）によって感光ドラム１に向けて付勢されている。これにより、１次転写ローラ５３の導電層５３２は、所定の押圧力で中間転写ベルト５１を介して感光ドラム１の表面に圧接される。又、芯金５３１には、１次転写バイアス出力手段としての１次転写バイアス電源５４が接続されている。感光ドラム１と１次転写ローラ５３との間には１次転写部Ｎ１が形成される。１次転写部Ｎ１には、中間転写ベルト５１が挟まれている。１次転写ローラ５３は、中間転写ベルト５１の内周面に接触して、中間転写ベルト５１の移動に伴って回転する。そして、画像形成時に、１次転写ローラ５３には、１次転写バイアス電源５４によって、トナーの正規の帯電極性（第１の極性：本実施例では負極性）とは逆極性（第２の極性：本実施例では正極性）の１次転写バイアス電圧が印加される。そして、１次転写ローラ５３と感光ドラム１との間に、上記第１の極性のトナーを感光ドラム１上から中間転写ベルト５１に向けて移動させる方向の電界が形成される。これによって、感光ドラム１上のトナー像が、中間転写ベルト５１の表面に転写（１次転写）される。
【００２７】
１次転写工程後の感光ドラム１の表面に残留したトナー（１次転写残トナー）等の付着物は、ドラムクリーナ６によって清掃される。ドラムクリーナ６は、クリーニング部材としてのクリーニングブレード６１と、搬送スクリュー６２と、ドラムクリーナハウジング６３と、を有する。クリーニングブレード６２は、加圧手段（図示せず）によって、感光ドラム１に対して、所定の角度、圧力で当接されている。これにより、感光ドラム１の表面に残留したトナー等は、クリーニングブレード６２によって感光ドラム１上から掻き取られて除去され、ドラムクリーナハウジング６３内に回収される。回収されたトナー等は、搬送スクリュー６２により搬送され、廃トナー収容部（図示せず）に排出される。
【００２８】
図２において、各感光ドラム１ａ〜１ｄの図中下方には、中間転写ベルト５１、１次転写ローラ５３ａ〜５３ｄ、２次転写内ローラ５６、２次転写外ローラ５７、中間転写ベルトクリーナ５９等を有して、中間転写ユニット５が構成されている。２次転写内ローラ５６は電気的に接地されている。又、２次転写外ローラ５７には、２次転写バイアス出力手段としての２次転写バイアス電源５８が接続されている。２次転写内ローラ５６は、中間転写ベルト５１の内周面に接触して、中間転写ベルト５１の移動に伴って回転する。
【００２９】
例えば、フルカラー画像の形成時には、第１〜第４の画像形成部Ｓａ〜Ｓｄの各感光ドラム１ａ〜１ｄ上に各色のトナー像が形成される。この各色のトナー像は、中間転写ベルト５１を挟んで各感光ドラム１ａ〜１ｄに対向する各１次転写ローラ５３から１次転写バイアスを受けて、順次中間転写ベルト５１上に転写（１次転写）される。このトナー像は、中間転写ベルト５１の回転に伴って２次転写部Ｎ２まで搬送される。
【００３０】
一方、この時までに、記録材供給手段８によって、記録材Ｐが２次転写部Ｎ２まで搬送される。即ち、記録材供給手段８において、記録材収容部としてのカセット８１からピックアップローラ８２によって１枚ずつ取り出された記録材Ｐは、搬送ローラ８３等によって２次転写部Ｎ２に搬送される。
【００３１】
本実施例では、画像形成時に、２次転写外ローラ５７には、２次転写バイアス電源５８によって、トナーの正規の帯電極性（第１の極性：本実施例では負極性）とは逆極性（第２の極性：本実施例では正極性）の２次転写バイアス電圧が印加される。そして、２次転写内ローラ５６と２次転写外ローラ５７との間に、上記第１の極性のトナーを中間転写ベルト５１上から記録材Ｐに向けて移動させる方向の電界が形成される。これによって、中間転写ベルト５１上のトナー像は、記録材Ｐ上に転写（２次転写）される。２次転写部Ｎ２においてトナー像が転写された記録材Ｐは、定着手段としての定着装置７へと搬送される。
【００３２】
尚、２次転写工程後に中間転写ベルト５１の外周面上に残留したトナー（２次転写残トナー）等の付着物は、ベルトクリーニング部材である中間転写ベルトクリーナ５９によって除去、回収される。中間転写ベルトクリーナ５９は、ドラムクリーナ６と同様の構成を有する。
【００３３】
定着装置７は、回転自在に配設された定着部材である定着ローラ７１と、定着ローラ７１に圧接しながら回転する加圧部材である加圧ローラ７２と、を有する。定着ローラ７１の内部には、発熱体であるハロゲンランプ等のヒータ７３が配設されている。そして、このヒータ７３へ供給する電圧等を制御することにより、定着ローラ７１の表面の温度調節が行われている。定着装置７に記録材Ｐが搬送されてくると、一定速度で回転する定着ローラ７１と加圧ローラ７２との間を記録材Ｐが通過する際に、記録材Ｐは、その表裏両面からほぼ一定の圧力、温度で加圧、加熱される。これにより、記録材Ｐの表面上の未定着トナー像は、溶融して記録材Ｐに定着される。こうして、記録材Ｐ上にフルカラー画像が形成される。
【００３４】
ここで、中間転写ベルト５１は、ＰＣ（ポリカーボネート）、ＰＥＴ（ポリエチレンテレフタレート）、ＰＶＤＦ（ポリフッ化ビニリデン）のような誘電体樹脂によって構成することができる。本実施例では、中間転写ベルト５１として、表面抵抗率１０１２Ω／□（ＪＩＳ−Ｋ６９１１法準拠プローブを使用、印加電圧１００Ｖ、印加時間６０ｓｅｃ、２３℃／５０％ＲＨ）、厚み１００μｍのＰＩ（ポリイミド）樹脂で形成されたものを用いた。しかし、これに限定されるものではなく、他の材料、体積抵抗率、及び厚みのものでも構わない。
【００３５】
又、１次転写ローラ５３は、外径８ｍｍの芯金５３１と、厚さ４ｍｍの導電性ウレタンスポンジ層５３２と、によって構成されている。１次転写ローラ５３の電気抵抗値は、約１０５Ω（２３℃／５０％ＲＨ）であった。尚、１次転写ローラ５３の電気抵抗値は、５００ｇ重の荷重の下で接地された金属ローラに当接された１次転写ローラ５３を５０ｍｍ／ｓｅｃの周速で回転させ、芯金５３１に１００Ｖの電圧を印加して測定された電流値から求められる。
【００３６】
又、２次転写内ローラ５６は、外径１８ｍｍの芯金５６１と、厚さ２ｍｍの導電性でソリッドのシリコーンゴム層５６２と、によって構成されている。２次転写内ローラ５６の電気抵抗値は、１次転写ローラ５３と同様の測定方法において、約１０４Ωであった。更に、２次転写外ローラ５７は、外径２０ｍｍの芯金５７１と、厚さ４ｍｍの導電性のＥＰＤＭゴムのスポンジ層５７２と、によって構成されている。２次転写外ローラ５７の電気抵抗値は、１次転写ローラ５３と同様の測定方法において、印加電圧が２０００Ｖの場合に、約１０８Ωであった。
【００３７】
［中間転写ベルトの着脱について］
本実施例の画像形成装置は、フルカラーモードとブラック単色モードを持ち、それに応じて中間転写ベルトを感光ドラムに対して当接離間させる動作を行う。ここで、フルカラーモードとは、画像形成部Ｓａ〜Ｓｄを用いて、カラー画像を記録材上に形成するものである。一方、ブラック単色モードとは、ブラックのトナー像を形成する画像形成部Ｓａを用いて、記録材上に画像を形成するものである。図２は、本実施における画像形成装置が、フルカラーモードで作像動作を行う場合の中間転写ベルトの配置を示している。中間転写ベルト５１は感光ドラム１ａから１ｄに接触して転写ニップＮ１ａ〜Ｎ１ｄを形成し、４色の画像が順次転写されていく。この中間転写ベルト５１の位置を規制するため、移動部材である上流規制ローラ５８ａが図に示される位置に配置されており、上流規制ローラ５８ａとテンションローラ５２に掛け渡される中間転写ベルト５１の面は、感光ドラム１ａから１ｄと平行になっている。この移動部材は、モータＭ２により下記の二つの位置の間を移動する。本実施例では移動手段は、移動部材及び移動部材を移動させるモータＭ２の構成を含めたものである。
【００３８】
さらに図４は、本実施例の画像形成装置がブラック単色モードであるときの中間転写ベルト５１の配置を示している。中間転写ベルト５１は感光ドラム１ｄのみに接触して転写ニップＮ１ｄを形成し、ブラックの単色画像のみが中間転写ベルトに転写される。このときの中間転写ベルト５１の位置を規制するため、上流規制ローラ５８ａ（図中の破線）は、上流規制ローラ５８ｂの位置（図中の実線）まで退避している。なお本実施例では、上流規制ローラ５８ｂは退避時も中間転写ベルト５１に接しているものである。しかし、上流規制ローラ５８ｂが中間転写ベルト５１を規制しない場合でも、図中のテンションローラ５２に位置が規制されることから、必ずしも上流規制ローラ５８ｂが中間転写ベルト５１を規制する必要は無い。
【００３９】
［周速差の設定について］
続いて、本実施例における感光ドラムと中間転写ベルトの周速差の設定について、詳細を説明する。
図２の画像形成装置において、感光ドラム１ａ〜１ｄおよび中間転写ベルト５１はそれぞれ駆動源（モータＭ３〜Ｍ６）によって、独立に駆動されている。また、中間転写ベルト５１は、駆動ローラ５１にモータＭ１から駆動力が与えられている。本実施例では、それぞれの感光ドラムがそれぞれのモータにより独立に駆動力が伝達されているが、ブラックの感光ドラムを駆動するモータと他の感光ドラムを駆動するモータを取り付ける構成であってもいい。そして、本実施例の画像形成装置では、画像形成時の感光ドラム１ａ〜１ｄと中間転写ベルト５１の表面移動速度に相当する周速（回転速度）は、異なる値に設定されている。感光ドラム１ａ〜１ｄの周速は１００．５ｍｍ／ｓｅｃであり、中間転写ベルト５１の周速は１００ｍｍ／ｓｅｃとなっている。前述のように、感光ドラムと中間転写ベルトを異なる周速で回転させることにより、感光ドラム上に形成されたトナー像が中間転写ベルトに摺擦されてせん断力を受け、感光ドラムに対するトナー像の付着力を弱めて、転写効率を向上させることができる。
【００４０】
さらに、このような感光ドラムとこれに当接するベルト部材の周速については、以下に述べるような考え方により設定されている。本実施例では、中間転写ベルト５１を駆動する駆動ローラ５５およびテンションを付加するテンションローラ５２は、感光ドラム１に対して中間転写ベルト５１の回転方向の上流側に駆動ローラ５５、下流側にテンションローラ５２が配置されている。このような構成においては、感光ドラム１の周速の方が中間転写ベルト５１の周速よりも速く設定することが好ましい。なぜならば、テンションローラ５２および駆動ローラ５５の間に懸架された中間転写ベルト５１は、１次転写面を構成するために安定的に張架されていることが必要である。そのため、もしも中間転写ベルト５１の周速の方が速く設定された場合は、駆動ローラ５５の方が感光ドラム１よりも速く中間転写ベルト５１を回転させようとする力を与えるために、感光ドラム１ａと駆動ローラ５５の間の中間転写ベルト５１がたるんでしまう。とくにイエローの転写ニップＮ１ａが不安定となってしまうためである。中間転写ベルト５１の周速の方を感光ドラム１の周速よりも遅く設定することにより、駆動ローラ５５の下流に張架される中間転写ベルト５１は、感光ドラム１によって回転方向との力を受けるために、安定して張架される。このように、感光ドラム１によって中間転写ベルト５１を引っ張る構成を、以下に「ドラム速回し系」と呼ぶことにする。
【００４１】
一方、別の構成として、中間転写ベルトを駆動する駆動ローラおよびテンションを付加するテンションローラが、感光ドラム１に対して中間転写ベルトの回転方向の下流側に駆動ローラ、上流側にテンションローラが配置されている構成について考える。このような構成では、先ほどとは逆に、感光ドラムの周速の方が中間転写ベルトの周速よりも遅く設定することが好ましい。中間転写ベルトの周速の方が遅く設定された場合は、感光ドラムの方が駆動ローラよりも速く中間転写ベルトを回転させようとする力を与える。そのために、最下流の感光ドラム１ｄと駆動ローラの間の中間転写ベルトがたるんでしまうため、とくにブラックの転写ニップＮ１ｄが不安定となってしまうためである。中間転写ベルトの周速の方が感光ドラム１の周速よりも速く設定することにより、駆動ローラ上流に張架される中間転写ベルトは、感光ドラムによって回転方向と逆に引っ張られる力を受けるために、安定して張架される。このように、感光ドラムによる回転規制力を受ける中間転写ベルトを駆動ローラによって引っ張る構成を、以下に「ベルト速回し系」と呼ぶことにする。
【００４２】
［周速差と着脱時のショックについて］
続いて、上述の「ドラム速回し系」および「ベルト速回し系」において、中間転写ベルトを感光ドラムに対して当接離間させる、フルカラーモードとブラック単色モードの切り替え動作におけるショックについて述べる。
【００４３】
まず、本実施例の構成である、「ドラム速回し系」について説明する。本実施例では、感光ドラム１ａ〜１ｄの速度は１００．５ｍｍ／ｓｅｃであり、中間転写ベルト５１の周速は１００ｍｍ／ｓｅｃとなっている。また、すべての感光ドラムおよび中間転写ベルトは、モータの速度を独立制御可能に駆動されている。そして、フルカラーモードにおいては、感光ドラム１ａ〜１ｄのすべてが中間転写ベルト５１に当接して作像動作を行っている。一方、ブラック単色モードにおいては、図４に示すように上流規制ローラ５３を退避させることによって、感光ドラム１ａ〜１ｃに対向する領域の中間転写ベルト５１を離間させる。よって、フルカラーモードでは、中間転写ベルト５１は、感光ドラム１ａ〜１ｄによって、回転方向の力を受けているのに対して、ブラック単色モードでは感光ドラム１ａのみから回転方向の力を受ける。そのため、フルカラーモードからブラック単色モードへの切り替え、すなわち中間転写ベルト５１の離間動作時には、中間転写ベルト５１の駆動力が瞬間的に軽減され、中間転写ベルト５１の回転ムラとなる。そして、これに伴ってブラックの感光ドラム１ｄにも回転ムラが及ぶ。このとき、ブラックの感光ドラム１ｄ上に帯電や露光、現像などの作像動作を行っている場合や、ブラックの感光ドラム１ｄ上の画像を中間転写ベルト５１に転写している場合、また、中間転写ベルト５１上のトナー像を紙へ２次転写している場合には、上記の回転ムラが画像に影響する虞がある。
【００４４】
図６に、「ドラム速回し系」および「ベルト速回し系」と、中間転写ベルトの「離間」および「当接」の組み合わせについて表を示した。上述の「ドラム速回し系」において、フルカラーモードからブラック単色モードへ、すなわち中間転写体が感光ドラムから「離間」する動作をモード（１）とした。同様に、「ドラム速回し系」における「当接」する動作をモード（２）とした。同様に、「ベルト速回し系」における「離間」動作をモード３、「当接」動作をモード４とした。これらのいずれの組み合わせにおいても、中間転写ベルト着脱による切り替え時のショックが画像に影響する虞がある。しかし、本実施例では、これらのモードごとに、以下に説明する最適な感光ドラムの駆動制御を行うことにより、上記のショックによる画像の影響を回避することができる。
【００４５】
［中間転写ベルト着脱時の感光ドラムの周速制御について］
続いて、本実施例において最も特徴的である、感光ドラムに対する中間転写ベルトの着脱に伴う、感光ドラムの周速の制御について説明する。本実施例では図７に示されているように、制御部（ＣＰＵ）によりそれぞれのモータの速度が制御されるものである。フルカラーモードとブラック単色モードの切換えはＣＰＵにあるモード移行制御部で行われる。また、このＣＰＵは、像担持体の速度を切換える速度変更部（変更手段）を有し、着脱時にこの速度制御部で感光ドラムの速度を制御する。また、ＣＰＵは、移動部材を移動させる移動制御部を有する。
【００４６】
図１は、感光ドラム１ａ〜１ｄおよび中間転写ベルト５１の周速を示す線図であり、横軸に時間、縦軸に感光ドラムおよび中間転写ベルトの周速を示している。図１−（１）〜（４）は、前述の図６のモード（１）〜（４）に対応している。本実施例の画像形成装置は「ドラム速回し系」であり、中間転写ベルト５１が離間する動作はモード（１）、当接する動作はモード（２）である。まず始めにモード（１）について、その制御の詳細を説明する。
【００４７】
本実施例の画像形成装置は、フルカラーモード時には、感光ドラム１ａ〜１ｄは周速１００．５ｍｍ／ｓで回転しており、中間転写ベルト５１は１００ｍｍ／ｓで回転している。図１−（１）における二重線矢印が、感光ドラム１ａ〜１ｄ上にトナー像を形成している時間を示している。Ｙ（イエロー）、Ｍ（マゼンタ）、Ｃ（シアン）、Ｋ（ブラック）の順でトナー像が形成され、これらが順次中間転写ベルト上へ１次転写されて重ね合わせられていく。そして、フルカラーモードを終了してブラック単色モードに切り替わる際には、感光ドラム上のトナー像が中間転写ベルト５１への転写が終わり次第、感光ドラム１ｂ〜１ｄは順次速度を落として、中間転写ベルト５１と同じ１００ｍｍ／ｓの速度となる。その後、中間転写ベルト５１が感光ドラム１ａ〜１ｃから離間され、感光ドラム１ｂ〜１ｄは回転を停止する。上記の、感光ドラム１ａ〜１ｃが減速して、中間転写ベルト５１が離間し、感光ドラム１ｂ〜１ｄが停止する一連の動作の間にも、ブラックのトナー像を形成する感光ドラム１ａ上には、トナー像が連続的に形成されている。そのため、モードの切り替えに伴うダウンタイムなく、画像を形成し続ける。
【００４８】
本実施例では、以上のように、ブラック単色モードに切り替わるときに、感光ドラムと中間転写ベルトとの周速差をなるべく少なく、もしくは実質的に等速にしてから離間させる。この構成により、離間による中間転写ベルト、さらにはブラックのトナー像を形成する感光ドラム１ｄに与える影響を最小限にすることができる。また、本実施例では、速度の切換えのタイミングを各色で異ならせる構成を用いており、この構成により、中間転写ベルト５１への負荷を軽減することができる。よって、ブラックの作像（帯電、露光、現像）および１次転写、さらには中間転写ベルトから記録材への２次転写を連続的におこなっても、中間転写ベルトの離間に伴うショックを小さくすることができる。
【００４９】
さらに、周速の速いブラックの感光ドラム１ａより最も遠いイエローの感光ドラム１ｄから順に減速することにより、感光ドラムによって中間転写ベルト５１の面を上流に引っ張る力を常にかけることができるため、１次転写面を安定させることができる。
【００５０】
上記の説明においては、感光ドラムの周速が１００．５ｍｍ／ｓ、中間転写ベルトの周速が１００ｍｍ／ｓである場合について説明したが、周速の関係は上記に限定されるものではない。また、上記の説明では、感光ドラムを減速するときに、中間転写ベルトと同じ１００ｍｍ／ｓまで下げる制御をおこなった。しかし、この値は、感光ドラムの元の周速（１００．５ｍｍ／ｓ）より小さく、中間転写ベルトの周速（１００ｍｍ／ｓ）以上であればどの値をとってもかまわない。ただし、中間転写ベルトの周速により近づけるほうが効果的である。
【００５１】
さらに、図５は、前記モード（１）における、感光ドラム１ｂ〜１ｄの減速制御の、他の方法を示す線図である。本図において、感光ドラム１ａ〜１ｃは１００．５ｍｍ／ｓの速度から、１００ｍｍ／ｓの速度に向けて、継続的に減速している。このような減速制御をおこなうことによっても、感光ドラム１ａ〜１ｃの減速時に中間転写ベルト５１に与える影響を抑えることが出来る。この方法では、複数の感光ドラムを同じタイミングで減速動作を始めても、中間転写ベルトへの回転負荷を小さくすることができる。また、段階的に減速を行う構成、具体的には、１００．５ｍｍ／ｓから、１００．４ｍｍ／ｓ、１００．３ｍｍ／ｓ、１００．２ｍｍ／ｓ、１００．１ｍｍ／ｓのような減速方法でも同様の効果をえることができる。前述の、感光ドラムの減速のタイミングをずらす制御と、なだらかに減速する制御は併用することも可能である。
【００５２】
図１−（２）は、ブラック単色モードからフルカラーモードに切り替わる際に、中間転写ベルト５１が感光ドラムに対して当接する場合の制御を示している。
【００５３】
ブラック単色モード時、感光ドラム１ｂ〜１ｄは回転を停止している。感光ドラム１ｄは１００．５ｍｍ／ｓ、中間転写ベルト５１は１００ｍｍ／ｓで回転し、感光ドラム１ｄ上にブラックのトナー像が形成され、これが中間転写ベルト５１上へ１次転写されている。続いて、ブラック単色モードからフルカラーモードへ切り替わるために、感光ドラム１ｂ〜１ｄを中間転写ベルト５１と同じ速度である１００ｍｍ／ｓで回転駆動させる。そして、中間転写ベルト５１を感光ドラム１ｂ〜１ｄに対して当接させる。このとき、感光ドラム１ａ〜１ｃと中間転写ベルト５１は、等速に設定されているために、中間転写ベルト５１は当接によるショックを受けることが無く、安定回転をしている。その後、感光ドラム１ａ〜１ｃの速度を徐々に作像時の設定である１００．５ｍｍ／ｓに上げていく。この間、ブラックのトナー像を形成する感光ドラム１ａ上には、連続的にブラックのトナー像が形成され続け、切り替えに伴う作像の中断を行うことがない。
【００５４】
以上のように、本モードにおいては、中間転写ベルト５１が感光ドラム１ａ〜１ｃに当接する前に、感光ドラム１ａ〜１ｃの速度を中間転写ベルト５１の速度に近づける。そして、中間転写ベルトを当接させることにより、中間転写ベルトやブラックの感光ドラムへのショックが最低限に抑えられる。その結果、ブラックの作像（帯電、露光、現像）および１次転写、さらには中間転写ベルトから記録材への２次転写を連続的におこなっても、当接によるショックを小さくすることができる。
【００５５】
このとき、ブラックの感光ドラム１ａに近い側の感光ドラムから、徐々に増速していくことにより、感光ドラムによって中間転写ベルト５１の面を上流に引っ張る力を常にかけることができるため、１次転写面を安定させることができる。
【００５６】
図１−（３）および（４）は、モード（３）および（４）に対応する、感光ドラムおよび中間転写ベルトの制御を示す線図である。前述の制御と同様に、感光ドラムの周速をできるだけ中間転写ベルトに近づけた上で、当接離間をおこなうという考え方に則っている。
【００５７】
以上説明した方法によって、本発明の構成により、フルカラーモードとブラック単色モードの切り替え持の中間転写ベルトの着脱ショックに起因する、ブラック感光ドラムの作像部や１次転写部、また２次転写部におけるショックを小さくすることが可能となる。
【実施例２】
【００５８】
次に、本発明に係る他の実施例について説明する。
【００５９】
［画像形成装置の全体構成及び動作］
図８は、本実施例の画像形成装置２００の概略断面構成を示す。本実施例の画像形成装置１００は、直接転写方式を用いたフルカラー電子写真画像形成装置である。
【００６０】
尚、図８に示す本実施例の画像形成装置２００において、図２に示す画像形成装置１００のものと実質的に同じ機能、構成を有する要素には同一符号を付して、詳しい説明は省略する。又、本実施例の画像形成装置２００において、各画像形成部Ｓａ〜Ｓｄの構成は、用いられるトナーの色が異なることを除いて実質的に同じである。従って、以下、特に区別を要しない場合は、いずれかの色用に設けられた要素であることを表すために図中符号に与えた添え字ａ、ｂ、ｃ、ｄは省略して総括的に説明する。
【００６１】
本実施例の画像形成装置２００は、各画像形成部Ｓａ〜Ｓｄの感光ドラム１ａ〜１ｄに隣接して、記録材担持体としての周回移動可能なベルト体、即ち、転写ベルト５１を有する。転写ベルト５１は、複数の支持部材として駆動ローラ５５、テンションローラ５２に掛け渡されている。転写ベルト５１は、ベルト駆動手段としての駆動ローラ５５によって駆動力が伝達されて、図示矢印Ｒ４方向に周回移動する。
【００６２】
又、転写ベルト５１の内周面側において各感光ドラム１ａ〜１ｄに対向する位置には、転写部材としての転写ローラ５３ａ〜５３ｄが配置されている。各転写ローラ５３ａ〜５３ｄによって転写ベルト５１が各感光ドラム１ａ〜１ｄに向けて付勢され、各感光ドラム１ａ〜１ｄと転写ベルト５１とが接触する転写部（転写ニップ）Ｎａ〜Ｎｄが形成されている。
【００６３】
本実施例の画像形成装置２００では、各画像形成部Ｓａ〜Ｓｄにて形成された感光ドラム１ａ〜１ｄ上の画像が、各感光ドラム１ａ〜１ｄに隣接して移動通過する転写ベルト５１上の紙等の記録材Ｐへ順次多重転写される。
【００６４】
画像形成時には、記録材供給手段８によって、記録材Ｐが転写ベルト５１へと搬送される。即ち、記録材供給手段８において、記録材収容部としてのカセット８１からピックアップローラ８２によって１枚ずつ取り出された記録材Ｐは、搬送ローラ８３等によって転写ベルト５１に向けて搬送される。そして、記録材Ｐは、吸着手段８４によって転写ベルト５１上に静電吸着されて、各画像形成部Ｓａ〜Ｓｄの各転写部へと搬送される。
【００６５】
例えば、フルカラー画像の形成時には、第１〜第４の画像形成部Ｓａ〜Ｓｄの各感光ドラム１ａ〜１ｄ上に各色のトナー像が形成される。この各色のトナー像は、記録材Ｐと転写ベルト５１とを挟んで各感光ドラム１ａ〜１ｄに対向する各転写ローラ５３ａ〜５３ｄから転写バイアスを受けて、順次転写ベルト５１上の記録材Ｐ上に転写される。
【００６６】
この各転写部Ｎａ〜Ｎｄにおける転写工程が終了すると、記録材Ｐは分離除電部材６５による分離バイアスを受けて転写ベルト５１から分離されて、定着手段としての定着装置７へと搬送される。
【００６７】
尚、転写工程後に転写ベルト５１上に残留したトナー（画像域外のかぶりトナー等）は、転写ベルトクリーナ５９によって除去、回収される。
【００６８】
ここで、転写ベルト５１は、前述の中間転写ベルト５１と同様に、ＰＣ（ポリカーボネート）、ＰＥＴ（ポリエチレンテレフタレート）、ＰＶＤＦ（ポリフッ化ビニリデン）のような誘電体樹脂によって構成することができる。本実施例では、表面抵抗率１０１４Ω／□（ＪＩＳ−Ｋ６９１１法準拠プローブを使用、印加電圧１０００Ｖ、印加時間６０ｓｅｃ、２３℃／５０％ＲＨ）、厚み８０μｍの、カーボンが分散されたＰＩ（ポリイミド）樹脂で形成されたものを用いた。しかし、これに限定されるものではなく、他の材料、体積抵抗率、及び厚みのものでも構わない。
【００６９】
又、本実施例では、転写ローラ５３は、前述の１次転写ローラ５３と同様の構成である。即ち、転写ローラ５３は、外径８ｍｍの芯金と、厚さ４ｍｍの導電性ウレタンスポンジ層と、によって構成されている。転写ローラ５３の電気抵抗値は、約１０６．５Ω（２３℃／５０％ＲＨ）であった。尚、転写ローラ５３の電気抵抗値は、５００ｇ重の荷重の下で電気的に接地された金属ローラに当接された転写ローラ５３を５０ｍｍ／ｓｅｃの周速で回転させ、芯金に１００Ｖの電圧を印加して測定された電流の関係から求められる。
【００７０】
［転写ベルトの着脱について］
本実施例の画像形成装置は、フルカラーモードとブラック単色モードを持ち、それに応じて転写ベルトを感光ドラムに対して当接離間させる動作を行う。フルカラーモードにおいては、図８中の転写ベルト５１は図中の破線で示される位置に配置され、感光ドラム１ａから１ｄにとの間に転写ニップを形成し、記録材Ｐが担持搬送されながら４色の画像が順次転写されていく。転写ベルト５１がこの位置に配置されるとき、モータＭ２により駆動ローラ５５ａは図中の破線で示される位置に配置される。なお、駆動ローラ５５ａは、モータＭ１により駆動力が与えられて、回転する。
【００７１】
さらに、本実施例の画像形成装置がブラック単色モードであるときには、転写ベルト５１は図中の実線で示されるように、感光ドラム１ｄのみに接触して転写ニップを形成し、記録材Ｐが担持搬送されながらブラックの単色画像のみが転写される。このとき、転写ベルト５１押し下げるため、駆動ローラ５５ｂは図中の実線の位置まで下がって配置される。そして、転写ベルトに記録材Ｐの吸着位置が下がることに伴い、吸着ローラ８４や記録材Ｐを転写ベルト５１へ導くガイド部材も移動する。
【００７２】
［中間転写ベルト着脱時の感光ドラムの周速制御について］
本実施例においても、実施例１に示した制御と同じ考え方に則って、感光ドラムの周速を制御する。即ち、感光ドラムに駆動力を与えるモータＭ３〜Ｍ６の回転速度を切り替えることで、ドラムの周速を制御する。すなわち、ブラック単色モードに切り替えるときには、感光ドラム１ａ〜１ｃと転写ベルト５１の周速差がなるべく少ない状態にしてから離間させることが有効である。本実施例では、画像形成動作中の像担持体とベルト部材との周速差よりも、離間動作開始前の周速差を小さくするものである。逆に、フルカラーモードに切り替える際には、本実施例では、画像形成動作中の像担持体とベルト部材との周速差よりも、当接動作開始前の周速差を小さくするものである。具体的には、まず、転写ベルト５１を感光ドラム１ａ〜１ｃに当接する前に、感光ドラム１ａ〜１ｃの回転速度を転写ベルト５１の回転速度に対する周速差を画像形成動作中の周速差よりも小さくなるように駆動させる。その後、転写ベルト５１を感光ドラム１ａ〜１ｃに対して当接させてから、感光ドラムの周速を徐々に作像時の設定に上げていく。
【００７３】
さらに、本実施例においても、前述のように、感光ドラムの周速を変更するタイミングを感光ドラムごとに異ならせたり、速度の変更をなだらかにおこなうことが有効である。
【００７４】
以上、本実施例においても、本発明の構成により、フルカラーモードとブラック単色モードの切り替えに伴う、転写ベルトの着脱ショックにより発生する、ブラック感光ドラムの作像部や転写部におけるバンディング画像を回避することが可能となる。
【００７５】
なお、上記の実施例では、イエロー、マゼンタ、シアン、ブラックの４色の画像を形成する装置において、ブラック単色モードにおける動作の詳細を説明した。しかし、本構成は、上記の４色以外の色を用いた画像形成装置や、淡色トナーを用いた画像形成装置に適用することも可能である。
【００７６】
また、上記の実施例では、ベルト部材を像担持体から離間させる構成であったが、像担持体をベルト部材から離間させる構成であってもいい。
【００７７】
以上は、本発明を具体的な実施例に則して説明したが、本発明は上述の実施形態に限定されるものではない。
【図面の簡単な説明】
【００７８】
【図１】本発明の一実施例に係る画像形成装置の感光ドラムと中間転写ベルトの周速を示す線図である。
【図２】本発明の一実施例に係る画像形成装置の概略断面構成図である。
【図３】図２の画像形成装置の画像形成部をより詳しく示す概略断面構成図である。
【図４】図２の画像形成装置のブラック単色モードにおける概略断面構成図である。
【図５】感光ドラムと中間転写ベルトの着脱ショックの組み合わせを示す表である。
【図６】本発明の一実施例に係る画像形成装置の感光ドラムと中間転写ベルトの周速を示す線図である。
【図７】本発明の一実施例に関わるブロック図である。
【図８】本発明の他の実施例に係る画像形成装置の概略断面構成図である。
【図９】従来の画像形成装置の概略断面構成図である。
【符号の説明】
【００７９】
１  感光ドラム（像担持体）
５１  中間転写ベルト（ベルト体）／転写ベルト（ベルト体）
５２  テンションローラ
５５  駆動ローラ
【図１】
0005241305.tif 000002
【図２】
0005241305.tif 000003
【図３】
0005241305.tif 000004
【図４】
0005241305.tif 000005
【図５】
0005241305.tif 000006
【図６】
0005241305.tif 000007
【図７】
0005241305.tif 000008
【図８】
0005241305.tif 000009
【図９】
0005241305.tif 000010